(57)【要約】【課題】  ツインパネル構成の表示装置の低消費電力化を図る。【解決手段】  サブパネル１００は、それぞれ複数のゲートバスライン１４、ソースバスライン１６、ＴＦＴ２５および画素電極を有し、ソースドライバ１５が設けられている。メインパネル２００は、それぞれ複数のゲートバスライン２４、ソースバスライン１６、ＴＦＴ２５および画素電極を有し、各ソースバスライン１６がスイッチングＴＦＴ１７を介して第１液晶パネル１０の対応するソースバスライン１６と接続されている。メインパネル２００は、ソースドライバ１５を第１液晶パネル１０と共用し、第１液晶パネル１０よりも表示頻度が低い状態で使用され、かつサブパネル１００のみの使用時にスイッチングＴＦＴ１７にて切り離される。【選択図】  図１  
2005234056.tif 000002
【特許請求の範囲】
【請求項１】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有し、前記複数のソース信号線に表示データ信号を供給するソース信号線駆動回路が設けられている第１の表示手段と、
第２のスイッチング手段と、
それぞれ複数の前記ゲート信号線、ソース信号線、第１のスイッチング手段および画素電極を有し、各ソース信号線が第２のスイッチング手段を介して第１の表示手段の対応するソース信号線と接続され、前記ソース信号線駆動回路を第１の表示手段と共用し、第１の表示手段よりも表示頻度が低い状態で使用される第２の表示手段とを備えていることを特徴とする表示装置。
【請求項２】
第１の表示手段と第２の表示手段との画素数は第１の表示手段よりも第２の表示手段の方が多いことを特徴とする請求項１に記載の表示装置。
【請求項３】
第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられていることを特徴とする請求項１に記載の表示装置。
【請求項４】
第１の表示手段における１本のソース信号線に対して第２の表示手段における複数本のソース信号線が対応しており、第１の表示手段における１本のソース信号線の表示データ信号を、このソース信号線に対応する、第２の表示手段における複数本のソース信号線に対して順次時分割で切り替えて供給する時分割駆動手段を備えていることを特徴とする請求項２に記載の表示装置。
【請求項５】
第２のスイッチング手段が前記時分割駆動手段を兼ねていることを特徴とする請求項４に記載の表示装置。
【請求項６】
第２のスイッチング手段は、第１の表示手段が表示動作を行い、第２の表示手段が表示動作を停止する場合に、導通のオフ動作を行うことを特徴とする請求項１に記載の表示装置。
【請求項７】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有する第１の表示手段と、それぞれ複数の前記ゲート信号線、ソース信号線、第１のスイッチング手段および画素電極を有する第２の表示手段とを備えた表示装置の駆動方法において、
第２の表示手段を第１の表示手段よりも表示頻度が低い状態で使用し、第２の表示手段のソース信号線に対して第１の表示手段のソース信号線を介して表示データ信号を供給するとともに、第２の表示手段が表示動作を行う場合には、第１の表示手段と第２の表示手段との対応するソース信号線同士を導通させ、第１の表示手段が表示動作を行い、第２の表示手段が表示動作を停止する場合には、前記対応するソース信号線同士の導通を遮断することを特徴とする表示装置の駆動方法。
【請求項８】
第１の表示手段と第２の表示手段との画素数は第１の表示手段よりも第２の表示手段の
方が多いことを特徴とする請求項７に記載の表示装置の駆動方法。
【請求項９】
第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられていることを特徴とする請求項７に記載の表示装置の駆動方法。
【請求項１０】
第１の表示手段における１本のソース信号線に対して第２の表示手段における複数本のソース信号線が対応しており、第１の表示手段における１本のソース信号線の表示データ信号を、このソース信号線に対応する、第２の表示手段における複数本のソース信号線に対して順次時分割で切り替えて供給することを特徴とする請求項８に記載の表示装置の駆動方法。
【発明の詳細な説明】
【技術分野】
【０００１】
本発明は、アクティブマトリクス型の複数の表示パネルを備えた液晶表示装置等の表示装置およびその駆動方法に関するものである。
【背景技術】
【０００２】
近年、例えば携帯装置、特に折畳式の携帯電話機には、２枚の表示パネルからなるいわゆるツインパネルが多用されている。図１１には、その一例としてメインパネル５８２とサブパネル５８３とからなるツインパネル５８１の回路図を示す。
【０００３】
メインパネル５８２は、基板上に薄膜トランジスタ（ＴＦＴ:Thin Film Transistor）
５９２が設けられたＴＦＴ基板５８４と、このＴＦＴ基板５８４に対向する対向基板５８５と、ＴＦＴ基板５８４と対向基板５８５との間に挟まれる表示媒体としての液晶層（ＬＣ）５９４とを含んでいる。
【０００４】
ＴＦＴ基板５８４上には、複数のゲートバスライン５８８と複数のソースバスライン５８９とが設けられている。このゲートバスライン５８８とソースバスライン５８９との交差部の近傍に、ＴＦＴ５９２が配置されている。このＴＦＴ５９２は、ゲートがゲートバスライン５８８に接続され、ソースがソースバスライン５８９に接続されるとともに、ドレインが画素電極に接続されている。そして、この画素電極と、対向基板５８５に設けられた対向電極（ＣＯＭ）５９３との間で、画素としてのＬＣ５９４に電圧を印加する。これを各ＴＦＴ５９２において行うことによって、画像を表示する。
【０００５】
また、メインパネル５８２には、さらにゲートドライバ５９０とソースドライバ５９１とが備えられている。ゲートドライバ５９０からの引き出し線がゲートバスライン５８８に接続され、ソースドライバ５９１からの引き出し線がソースバスライン５８９に接続されている。そして、ゲートドライバ５９０、ソースドライバ５９１から、それぞれのバスラインに、ゲート信号電圧、表示データ信号が印加される。
【０００６】
一方、サブパネル５８３は、基板上に薄膜トランジスタ５９２が設けられたＴＦＴ基板５８６と、このＴＦＴ基板５８６に対向する対向基板５８７と、ＴＦＴ基板５８６と対向基板５８７との間に挟まれる表示媒体としての液晶層（ＬＣ）５９４とを含んでいる。
【０００７】
このサブパネル５８３は、図示しないＦＰＣ(Flexible Printed Circuits)を介してメ
インパネル５８２と接続されている。これによって、メインパネル５８２のゲートドライバ５９０およびソースドライバ５９１から、メインパネル５８２内の配線とＦＰＣ(Flexible Printed Circuits)とを介して、サブパネル５８３の各バスラインに、ゲート信号電
圧または表示データ信号が印加される。
【０００８】
ＴＦＴ基板５８６上には、複数のゲートバスライン５８８と複数のソースバスライン５８９とが設けられている。このゲートバスライン５８８とソースバスライン５８９との交差部の近傍に、ＴＦＴ５９２が配置されている。このＴＦＴ５９２は、ゲートがゲートバスライン５８８に接続され、ソースがソースバスライン５８９に接続されるとともに、ドレインが画素電極に接続されている。そして、この画素電極と、対向基板５８７に設けられた対向電極（ＣＯＭ）５９３との間で、画素としてのＬＣ５９４に電圧を印加する。これを各ＴＦＴ５９２において行うことによって、画像を表示する。これによって、メインパネル５８２またはサブパネル５８３において、画像を表示することができる。
【０００９】
ツインパネルを備えた具体的な装置を開示する従来文献としては、例えば、特開２００１−０６７０４９（第１従来技術）、特開２００１−２８２１４５（第２従来技術）および特開２００３−１３１２５０（第３従来技術）がある。
【００１０】
第１従来技術には、第１液晶表示部（第１液晶表示装置）と第２液晶表示部（第２液晶表示装置）とからなるツインパネルを備えた折畳式の移動通信端末機が開示されている。この移動通信端末機では、本体部に対してカバー部（フォルダカバー）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶部に入力される。第２液晶表示部は第１液晶表示部よりも表示面積が小さく（特許文献１の図４、図５参照）、第２液晶表示部には時刻の他、概略的な情報が表示され、第１液晶表示部には多様な情報が表示される。また、カバー部が閉じた状態では第２液晶表示部のみによる表示が行われ、カバー部が開いた状態では第１液晶表示部のみによる表示が行われる。
【００１１】
第２従来技術には、第１従来技術と同様に、第１液晶表示部（内側液晶表示部）と第２液晶表示部（外側液晶表示部）とからなるツインパネルを備えた折畳式の携帯電話機が開示されている。この携帯電話機は、本体部（下部筐体）に対してカバー部（上部筐体）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶表示部に入力される。第２液晶表示部は第１液晶表示部よりも表示面積が小さくなっている（特許文献２の図３、図４参照）。また、カバー部が閉じた状態では第２液晶表示部のみによる表示が行われ、カバー部が開いた状態では第１液晶表示部のみによる表示が行われる。
【００１２】
第３従来技術には、第１従来技術と同様に、第１液晶表示部（ＬＣＤ）と第２液晶表示部（ＬＣＤ）とからなるツインパネルを備えた折畳式の携帯電話機が開示されている。この携帯電話機では、本体部に対してカバー部（蓋）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶部に入力される。第２液晶表示部は第１液晶表示部よりも表示面積が小さく（特許文献３の図１、図１０参照）、第２液晶表示部には着信があったことや年月日等の簡単な情報が表示され、第１液晶表示部には主要な情報が表示される。
【特許文献１】特開２００１−０６７０４９（平成１３年０３月１６日公開）
【特許文献２】特開２００１−２８２１４５（平成１３年１０月１２日公開）
【特許文献３】特開２００３−１３１２５０（平成１５年０５月０８日公開）
【発明の開示】
【発明が解決しようとする課題】
【００１３】
上記のように、ツインパネルからなる表示装置は、携帯電話機などの携帯装置に多用されており、低消費電力化が要求されている。しかしながら、上記従来の装置での低消費電力化は、十分な対策が取られておらず、不十分である。
【００１４】
したがって、本発明は、十分な低消費電力化が可能な液晶表示装置およびその駆動方法
の提供を目的としている。
【課題を解決するための手段】
【００１５】
本発明の表示装置は、複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有し、前記複数のソース信号線に表示データ信号を供給するソース信号線駆動回路が設けられている第１の表示手段と、第２のスイッチング手段と、それぞれ複数の前記ゲート信号線、ソース信号線、第１のスイッチング手段および画素電極を有し、各ソース信号線が第２のスイッチング手段を介して第１の表示手段の対応するソース信号線と接続され、前記ソース信号線駆動回路を第１の表示手段と共用し、第１の表示手段よりも表示頻度が低い状態で使用される第２の表示手段とを備えていることを特徴としている。
【００１６】
また、本発明の表示装置の駆動方法は、複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有する第１の表示手段と、それぞれ複数の前記ゲート信号線、ソース信号線、第１のスイッチング手段および画素電極を有する第２の表示手段とを備えた表示装置の駆動方法において、第２の表示手段を第１の表示手段よりも表示頻度が低い状態で使用し、第２の表示手段のソース信号線に対して第１の表示手段のソース信号線を介して表示データ信号を供給するとともに、第２の表示手段が表示動作を行う場合には、第１の表示手段と第２の表示手段との対応するソース信号線同士を導通させ、第１の表示手段が表示動作を行い、第２の表示手段が表示動作を停止する場合には、前記対応するソース信号線同士の導通を遮断することを特徴としている。
【００１７】
上記の構成によれば、第１の表示手段が表示動作を行い、第２の表示手段が表示動作を停止する場合には、第２の表示手段を第１の表示手段から切り離すことができる。これにより、第２の表示手段が接続されることによって生じる電気的負荷が軽減され、消費電力を低減することができる。
【００１８】
また、表示データ信号は、相対的に表示頻度が高い第１の表示手段のソース信号線を介して相対的に表示頻度が低い第２の表示手段のソース信号線に供給される。したがって、表示装置の使用状態において、第１の表示手段のソース信号線に対して第２の表示手段のソース信号線が接続されている時間が短くなり、消費電力の低減を促進することができる。
【００１９】
上記の表示装置において、第１の表示手段と第２の表示手段との画素数は第１の表示手段よりも第２の表示手段の方が多い構成としてもよい。
【００２０】
また、上記の表示装置の駆動方法において、第１の表示手段と第２の表示手段との画素数は第１の表示手段よりも第２の表示手段の方が多い構成としてもよい。
【００２１】
上記の構成によれば、相対的に画素数が少ない、即ち解像度が小さい第１の表示手段、および相対的に画素数が多い、即ち解像度が高い第２の表示手段を備えた構成では、通常、相対的に画素数が少ない第１の表示手段の方が表示頻度の高い表示用途に使用される。したがって、消費電力を低減する上で好適な構成となる。
【００２２】
上記の表示装置において、第１の表示手段と第２の表示手段とは第１の筐体部に対して第２の筐体部を開閉可能な装置に設けられ、第１の表示手段は、第１の筐体部に対して第
２の筐体部を閉じた折畳状態における第１または第２の筐体部の外面側に表示面を配して設けられ、第２の表示手段は、前記折畳状態における第１または第２の筐体部の内面側に表示面を配して設けられている構成としてもよい。
【００２３】
また、上記の表示装置の駆動方法の駆動方法において、第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられている構成としてもよい。
【００２４】
上記の構成によれば、表示装置を備え、第１の筐体部に対して第２の筐体部を開閉可能な装置においては、表示装置の使用状態において、第１の筐体部に対して第２の筐体部を閉じた折畳状態となる頻度が高くなる。したがって、第１の表示手段が折畳状態における第１または第２の筐体部の外面側に表示面を配して設けられ、第２の表示手段が折畳状態における第１または第２の筐体部の内面側に表示面を配して設けられている構成は、消費電力を低減する上で好適である。
【００２５】
上記の表示装置は、第１の表示手段における１本のソース信号線に対して第２の表示手段における複数本のソース信号線が対応しており、第１の表示手段における１本のソース信号線の表示データ信号を、このソース信号線に対応する、第２の表示手段における複数本のソース信号線に対して順次時分割で切り替えて供給する時分割駆動手段を備えている構成としてもよい。
【００２６】
また、上記の表示装置の駆動方法は、上記の第１の表示手段における１本のソース信号線に対して第２の表示手段における複数本のソース信号線が対応しており、第１の表示手段における１本のソース信号線の表示データ信号を、このソース信号線に対応する、第２の表示手段における複数本のソース信号線に対して順次時分割で切り替えて供給する構成としてもよい。
【００２７】
上記の構成によれば、画素数が少ない第１の表示手段を介して画素数が多い第２の表示手段に対して表示データ信号を適切に供給することができる。
【００２８】
上記の表示装置は、第２のスイッチング手段が前記時分割駆動手段を兼ねている構成としてもよい。
【００２９】
上記の構成によれば、必要なスイッチング手段の数を少なくして、部品点数を減少させ、構成の簡略化と低コスト化を図ることができる。
【発明の効果】
【００３０】
本発明の表示装置は、ソース信号線駆動回路が設けられている第１の表示手段と、第２のスイッチング手段と、各ソース信号線が第２のスイッチング手段を介して第１の表示手段の対応するソース信号線と接続され、前記ソース信号線駆動回路を第１の表示手段と共用し、第１の表示手段よりも表示頻度が低い状態で使用される第２の表示手段とを備えている構成である。
【００３１】
また、本発明の表示装置の駆動方法は、第１の表示手段と第２の表示手段とを備えた表示装置の駆動方法において、第２の表示手段を第１の表示手段よりも表示頻度が低い状態で使用し、第２の表示手段のソース信号線に対して第１の表示手段のソース信号線を介して表示データ信号を供給するとともに、第２の表示手段が表示動作を行う場合には、第１の表示手段と第２の表示手段との対応するソース信号線同士を導通させ、第１の表示手段
が表示動作を行い、第２の表示手段が表示動作を停止する場合には、前記対応するソース信号線同士の導通を遮断する構成である。
【００３２】
これにより、第１の表示手段が表示動作を行い、第２の表示手段が表示動作を停止する場合には、第２の表示手段を第１の表示手段から切り離すことができる。したがって、第２の表示手段が接続されることによって生じる電気的負荷が軽減され、消費電力を低減することができる。
【００３３】
また、表示データ信号は、相対的に表示頻度が高い第１の表示手段のソース信号線を介して相対的に表示頻度が低い第２の表示手段のソース信号線に供給される。したがって、表示装置の使用状態において、第１の表示手段のソース信号線に対して第２の表示手段のソース信号線が接続されている時間が短くなり、消費電力の低減を促進することができる。
【発明を実施するための最良の形態】
【００３４】
〔実施の形態１〕
本発明の実施の一形態を図面に基づいて以下に説明する。
図１には本実施の形態の液晶表示装置（表示装置）１の回路図を示す。液晶表示装置１は図１に示すように、第１液晶パネル（第１の表示手段）１０と第２液晶パネル（第２の表示手段）２０とを備えたツインパネル構成である。
【００３５】
第１液晶パネル１０は、ＴＦＴ（薄膜トランジスタ:Thin Film Transistor）２５が設
けられたＴＦＴ基板１１と、このＴＦＴ基板１１に対向する対向基板１２と、ＴＦＴ基板１１と対向基板１２との間に挟まれる表示媒体としての液晶層とを含んでいる。この液晶層は液晶キャパシタ２６を構成する。
【００３６】
ＴＦＴ基板１１上には、複数のゲートバスライン（ゲート信号線）１４と複数のソースバスライン（ソース信号線）１６とが設けられている。このゲートバスライン１４とソースバスライン１６との交差部の近傍にＴＦＴ（第１のスイッチング手段）２５が配置されている。ＴＦＴ２５は、ゲートがゲートバスライン１４に接続され、ソースがソースバスライン１６に接続されるとともに、ドレインが画素電極に接続されている。そして、対向基板１２に設けられた対向電極（ＣＯＭ）２７と前記画素電極との間において画素を構成する液晶キャパシタ２６に電圧を印加する。これを各ＴＦＴ２５において行うことによって画像が表示される。
【００３７】
第２液晶パネル２０は、ＴＦＴ２５が設けられたＴＦＴ基板２１と、このＴＦＴ基板２１に対向する対向基板２２と、ＴＦＴ基板２１と対向基板２２との間に挟まれる表示媒体としての液晶層とを含んでいる。この液晶層は液晶キャパシタ２６を構成する。
【００３８】
ＴＦＴ基板２１上には、複数のゲートバスライン２４と複数のソースバスライン１６とが設けられている。このゲートバスライン１４とソースバスライン１６との交差部の近傍にＴＦＴ２５が配置されている。ＴＦＴ２５は、ゲートがゲートバスライン２４に接続され、ソースがソースバスライン１６に接続されるとともに、ドレインが画素電極に接続されている。そして、対向基板２２に設けられた対向電極（ＣＯＭ）２７と前記画素電極との間において画素を構成する液晶キャパシタ２６に電圧を印加する。これを各ＴＦＴ２５において行うことによって画像が表示される。
【００３９】
なお、図１において、ソースバスライン１６、ゲートバスライン１４，２４の番号に付記している−Ｌ，−Ｍ，−Ｎなどの符号は各ラインでのライン番号を表し、Ｌ，Ｍ，Ｎは各ラインの総数を表している。以下の説明において、特定の番号のラインを対象としない
場合には、−Ｌ，−Ｍ，−Ｎなどの符号は付記せずに記載する。
【００４０】
本実施の形態の液晶表示装置１において、第１液晶パネル１０のソースバスライン１６と第２液晶パネル２０のソースバスライン１６とは個々に対応している。したがって、ゲートバスライン１４，２４のこれら対応するソースバスライン１６同士はスイッチ部１９、および可撓性を有する接続部材である例えばＦＰＣ(Flexible Printed Circuits)３０
を介して互いに導通可能となっている。スイッチ部１９は第１液晶パネル１０に設けられており、ＦＰＣ３０は第１液晶パネル１０と第２液晶パネル２０との間に設けられている。なお、スイッチ部１９の配置位置は第１液晶パネル１０に限定されず、第２液晶パネル２０あるいは第１液晶パネル１０と第２液晶パネル２０との間であってもよい。
【００４１】
スイッチ部１９は、スイッチングＴＦＴ（第２のスイッチング手段）１７とスイッチング制御信号線１８とを有する。スイッチングＴＦＴ１７は、第１液晶パネル１０のソースバスライン１６と第２液晶パネル２０のソースバスライン１６との接続をオン／オフするように、ソースバスライン１６ごとに設けられている。スイッチング制御信号線１８は、ゲートバスライン１４の方向に形成され、スイッチングＴＦＴ１７をオン／オフするためのスイッチング制御信号を各スイッチングＴＦＴ１７のゲートに与える。スイッチング制御信号はソースドライバ（ソース信号線駆動回路）１５からスイッチング制御信号線１８に供給される。
【００４２】
第１液晶パネル１０と第２液晶パネル２０とにおいて、ゲートバスライン１４、２４を駆動するゲートドライバは、それぞれ専用のゲートドライバ１３，２３が備えられ、ソースバスライン１６を駆動するソースドライバは、第１液晶パネル１０と第２液晶パネル２０とで共用のソースドライバ１５が備えられている。ゲートドライバ１３，２３からゲートバスライン１４，２８にはゲート信号（ゲート選択信号）が出力され、ソースドライバ１５からソースバスライン１６には表示データ信号が出力される。ソースドライバ１５は第１液晶パネル１０側に設けられており、第２液晶パネル２０への表示データ信号は第１液晶パネル１０を介して供給される。
【００４３】
ここで、液晶表示装置１が一つの装置に備えられる場合、第１液晶パネル１０は第２液晶パネル２０よりも表示頻度が高い（使用時間が長い）表示パネルとして使用される。例えば、第１液晶パネル１０は、適用された装置において、時刻、その装置の現在の状態、あるいは何らかの概要情報を示す表示装置として使用され、第２液晶パネル２０は、例えば操作者の操作に基づいて表示動作を開始する、第１液晶パネル１０での表示情報よりも詳細な情報（何らかの詳細情報）を表示する表示装置として使用される。
【００４４】
具体的には、例えば図２（ａ）（ｂ）に示すように、本体部（第１の筐体部）４１に対してカバー部（第２の筐体部）４２を開閉可能な折畳式の携帯電話機４０において、第１液晶パネル１０はカバー部４２の外面（折り畳まれた状態における外面）に設けられ、第２液晶パネル２０はカバー部４２の内面（折り畳まれた状態における内面）に設けられる。この状態におけるカバー部４２の要部の縦断面図を図３に示す。同図に示すように、第１液晶パネル１０と第２液晶パネル２０とは、カバー部４２内部において背中合わせに対向した状態に設けられている。
【００４５】
上記のように、液晶表示装置１では、表示頻度の高い方の第１液晶パネル１０側にソースドライバ１５を設け、２個の表示パネル（第１および第２液晶パネル１０，２０）を１個の駆動回路（ソースドライバ１５）によって駆動し、かつスイッチ部１９によって２個の表示パネル（第１および第２液晶パネル１０，２０）を切り離せるようにしている。
【００４６】
上記の携帯電話機４０において、電話による通話時、電子メールの送信操作時および受
信メールについての内容確認時等の使用時にはカバー部４２を開いた状態とする。この場合には、第１液晶パネル１０の表示動作がオフとなり、第２液晶パネル２０の表示動作がオンとなる。一方、カバー部４２を閉じた待ち受け状態（電源オン状態）においては、第１液晶パネル１０の表示動作がオンとなり、第２液晶パネル２０の表示動作がオフとなる。携帯電話機４０においては、通常、例えば一日の内でカバー部４２を開いている状態よりもカバー部４２を閉じている状態の方が多いので、第１液晶パネル１０は第２液晶パネル２０よりも表示頻度が高くなる。
【００４７】
上記の液晶表示装置１において、カバー部４２を閉じた状態では第１液晶パネル１０のみの表示動作がオン状態となり、第２液晶パネル２０は表示動作がオフ状態となる。この場合、ソースドライバ１５からのスイッチング制御信号によってスイッチ部１９の全てのスイッチングＴＦＴ１７がオフとなって、ソースドライバ１５からの表示データ信号は第２液晶パネル２０のソースバスライン１６へは供給されない。また、ゲートドライバ１３は動作を行う一方、ゲートドライバ２３は動作を停止する。
【００４８】
なお、ソースドライバ１５からのスイッチング制御信号の出力は例えば次のようにして行われる。例えば、カバー部４２を閉じた状態が携帯電話機４０に設けられた開閉検出手段としての例えば開閉検出スイッチ（図示せず）にて検出され、その検出信号が制御手段（図示せず）に入力され、この制御手段からの指令に基づいて、ソースドライバ１５からスイッチング制御信号が出力される。
【００４９】
一方、カバー部４２を開いた状態では第２液晶パネル２０のみの表示動作がオン状態となり、第１液晶パネル１０は表示動作がオフ状態となる。この場合、ソースドライバ１５からのスイッチング制御信号によってスイッチ部１９の全てのスイッチングＴＦＴ１７がオンとなって、ソースドライバ１５からの表示データ信号は第２液晶パネル２０のソースバスライン１６へ供給される。また、ゲートドライバ１３は動作を停止する一方、ゲートドライバ２３は動作を行う。
【００５０】
次に、上記の第１および第２液晶パネル１０，２０の表示動作についてさらに詳細に説明する。
【００５１】
第１液晶パネル１０を表示させる場合、図４に示すように、ソースバスライン１６にはソースドライバ１５から表示データ信号が印加され、ゲートバスライン１４にはゲートドライバ１３からＴＦＴ２５をオン／オフするためのゲート信号が印加される。このとき、ゲートバスライン１４の電圧がＨｉｇｈになると、そのゲートバスライン１４に接続されているＴＦＴ２５がオンとなり、ソースバスライン１６に印加されている表示データ信号が画素（液晶キャパシタ２６）に書き込まれる。
【００５２】
第１液晶パネル１０の表示駆動においては、ソースバスライン１６−１〜１６−Ｌに表示データ信号を印加し、ゲートバスライン１４−１〜１４−Ｍを線順次駆動することにより、１画面の表示（書き込み）を繰り返し行う。
【００５３】
このとき、第２液晶パネル２０は表示を行わないので、ソースドライバ１５からスイッチング制御信号線１８にＬｏｗ電圧（スイッチング制御信号）を印加して、スイッチ部１９の全てのスイッチングＴＦＴ１７をオフとし、第２液晶パネル２０のソースバスライン１６（１６−１〜１６−Ｌ）を第１液晶パネル１０のソースバスライン１６（１６−１〜１６−Ｌ）から電気的に切り離す。また、このとき、第２液晶パネル２０のゲートバスライン２４の駆動も行わない。
【００５４】
上記の動作では、相対的に表示頻度の高い第１液晶パネル１０ネルを表示させる場合に
、第２液晶パネル２０の負荷を電気的に切り離す。したがって、液晶表示装置１では、消費電力の低減を実現できる。
【００５５】
一方、第２液晶パネル２０を表示させる場合、図５に示すように、ソースバスライン１６にはソースドライバ１５から表示データ信号が印加され、ゲートバスライン２４にはゲートドライバ２３からＴＦＴ２５をオン／オフするためのゲート信号が印加される。このとき、ゲートバスライン２４の電圧がＨｉｇｈになると、そのゲートバスライン２４に接続されているＴＦＴ２５がオンとなり、ソースバスライン１６に印加されている表示データ信号が画素（液晶キャパシタ２６）に書き込まれる。
【００５６】
第２液晶パネル２０の表示駆動においては、ソースバスライン１６−１〜１６−Ｌに表示データ信号を印加し、ゲートバスライン２４−１〜２４−Ｎを線順次駆動することにより、１画面の表示（書き込み）を繰り返し行う。
【００５７】
このとき、第１液晶パネル１０は表示を行わないものの、第２液晶パネル２０に表示データ信号を印加するため、ソースドライバ１５からスイッチング制御信号線１８にＨｉｇｈ電圧（スイッチング制御信号）を印加して、スイッチ部１９のスイッチングＴＦＴ１７を全てオンにしておく。ただし、ゲートバスライン１４−１〜１４−Ｍの駆動は行わない。
【００５８】
上記の動作では、第２液晶パネル２０を表示させる場合に、第１液晶パネル１０の負荷を電気的に切り離すことができず、余分な電力を必要とする。しかしながら、第２液晶パネル２０は表示頻度の低い表示パネルであり、この状態が生じる頻度は低い。一方、表示頻度が高い第１液晶パネル１０を表示させる場合には、第２液晶パネル２０を電気的に切り離すので、液晶表示装置１全体としては消費電力の低減を実現できる。
【００５９】
なお、上記の電気的負荷は、主にゲートバスライン１４とクロスする箇所での絶縁部の容量、およびＴＦＴ２５部分での寄生容量などに起因するものである。
【００６０】
また、携帯電話機４０における第１液晶パネル１０と第２液晶パネル２０の配置形態は上記のものに限定されない。例えば、携帯電話機４０を第１の筐体部に対して第２の筐体部を開閉可能な装置と見た場合、第１液晶パネル１０は、第１の筐体部に対して第２の筐体部を閉じた状態における第１または第２の筐体部の外面側に表示面を配して設けられ、第２液晶パネル２０は、第１の筐体部に対して第２の筐体部を閉じた状態における第１または第２の筐体部の内面側に表示面を配して設けられていればよい。この点は、後述のサブパネル１００とメインパネル２００との関係においても同様である。
【００６１】
〔実施の形態２〕
本発明の実施の他の形態を図面に基づいて以下に説明する。
本実施の形態の液晶表示装置（表示装置）２は図６に示す構成を有している。すなわち、液晶表示装置２は、サブパネル（第１の表示手段）１００とメインパネル（第２の表示手段）２００とを備えたツインパネル構成である。サブパネル１００およびメインパネル２００はアクティブマトリクスパネルである。これらサブパネル１００とメインパネル２００とにおいて、ゲートバスラインを駆動するゲートドライバは、それぞれ専用のゲートドライバ１１３、１２３が備えられ、ソースバスラインを駆動するソースドライバは、サブパネル１００とメインパネル２００とで共用の１個のソースドライバ１１５が備えられている。
【００６２】
ソースドライバ１１５から出力される表示データ信号は、サブパネル１００のソースバスラインを介してメインパネル２００のソースバスラインに供給される。なお、サブパネ
ル１００のソースバスラインとメインパネル２００のソースバスラインとの接続は、両パネル間に設けられた、柔軟な構造を有する接続部材、例えばＦＰＣ３０を介して行われている。
【００６３】
ここで、メインパネル２００は、サブパネル１００よりも画素数が多く、サブパネル１００よりも高い解像度を有する。したがって、メインパネル２００のソースバスラインはサブパネル１００のソースバスラインよりも多くなっている。このために、液晶表示装置２では、サブパネル１００の１本のソースバスラインをメインパネル２００の複数本のソースバスラインに対応させている。即ち、液晶表示装置２では、サブパネル１００における１本のソースバスラインの表示データ信号を時分割駆動部１１９によってメインパネル２００における複数本（例えば、図６においては３本）のソースバスラインに与えている。具体的には、複数個の切り替えスイッチからなる時分割駆動部１１９の各切り替えスイッチによって、サブパネル１００における１本のソースバスラインの表示データ信号がメインパネル２００の対応する複数本のソースバスラインに対して時分割により切り替えて与えられる。
【００６４】
このように、画素数が少ないサブパネル１００側に設けられたソースドライバ１１５によって、サブパネル１００は通常の駆動（非時分割駆動）を行い、画素数が多いメインパネル２００は時分割駆動を行うことにより、メインパネル２００ではサブパネル１００よりも高解像度での表示が可能となる。
【００６５】
図７には、図６に示した液晶表示装置１１の回路図を示す。
液晶表示装置２において、サブパネル１００は、前記第１液晶パネル１０と同様、ＴＦＴ２５が設けられたＴＦＴ基板１１、対向基板１２および液晶層からなる液晶キャパシタ２６を有する。ＴＦＴ基板１１上には、複数のゲートバスライン１４、複数のソースバスライン１６および上記ＴＦＴ２５が配置されている。ＴＦＴ２５は、対向基板１２に設けられた対向電極（ＣＯＭ）２７と前記画素電極との間において画素を構成する液晶キャパシタ２６に電圧を印加する。
【００６６】
メインパネル２００は、前記第２液晶パネル２０と同様、ＴＦＴ２５が設けられたＴＦＴ基板２１、対向基板２２および液晶層からなる液晶キャパシタ２６を有する。ＴＦＴ基板２１上には、複数のゲートバスライン２４、複数のソースバスライン２８および上記ＴＦＴ２５が配置されている。ＴＦＴ２５は、対向基板２２に設けられた対向電極（ＣＯＭ）２７と前記画素電極との間において画素を構成する液晶キャパシタ２６に電圧を印加する。
【００６７】
本実施の形態の液晶表示装置２において、時分割駆動部１１９は、メインパネル２００に設けられている。この時分割駆動部１１９は、メインパネル２００のソースバスライン２８ごとに設けられたスイッチングＴＦＴ１７を備えている。これらスイッチングＴＦＴ１７は、ソースバスライン２８におけるサブパネル１００側の端部に設けられている。
【００６８】
液晶表示装置２では、サブパネル１００の１本のソースバスライン１６から供給される表示データ信号をメインパネル２００の例えば３本のソースバスライン２８に時分割で与える構成であることから、隣り合う３個のスイッチングＴＦＴ１７が１組となっている。そして、それら３個１組のスイッチングＴＦＴ１７に対応する３本のソースバスライン２８に対して１本のソースバスライン１６がスイッチングＴＦＴ１７を介して導通可能となっている。
【００６９】
また、時分割駆動部１１９は、各組の第１、第２、第３のスイッチングＴＦＴ１７に対応して第１、第２、第３のスイッチング制御信号線１８ａ，１８ｂ，１８ｃを有している
。このうち、第１スイッチング制御信号線１８ａは、各組の第１のスイッチングＴＦＴ１７のゲートと接続され、第２スイッチング制御信号線１８ｂは各組の第２のスイッチングＴＦＴ１７のゲートと接続され、第３スイッチング制御信号線１８ｃは各組の第３のスイッチングＴＦＴ１７のゲートと接続されている。第１、第２、第３のスイッチング制御信号線１８ａ，１８ｂ，１８ｃには、各組のスイッチングＴＦＴ１７を時分割駆動するための、即ち各組の３本のソースバスライン２８をそれらに対応する１本のソースバスライン１６と時分割にて接続するためのスイッチング制御信号が供給される。
【００７０】
さらに、時分割駆動部１１９は、サブパネル１００（サブパネル１００のソースバスライン１６）とメインパネル２００（メインパネル２００のソースバスライン２８）とを切り離す機能も備えている。
【００７１】
なお、時分割駆動部１１９の配置位置は、例えば配線の効率を考えた場合、メインパネル２００とするのが好ましいものの、サブパネル１００あるいはサブパネル１００とメインパネル２００との間であってもよい。
【００７２】
ここで、サブパネル１００は、例えば、適用された装置において、時刻、その装置の現在の状態、あるいは何らかの概要情報を示す表示装置として使用され、メインパネル２００は、例えば、操作者の操作に基づいて表示動作を開始する、サブパネル１００での表示情報よりも詳細な情報（何らかの詳細情報）を表示する表示装置として使用される。
【００７３】
具体的には、例えば図２（ａ）（ｂ）に示すように、本体部４１に対してカバー部４２を開閉可能な折畳式の携帯電話機４０において、サブパネル１００はカバー部４２の外面（折り畳まれた状態における外面）に設けられ、メインパネル２００はカバー部４２の内面（折り畳まれた状態における内面）に設けられる。この状態におけるカバー部４２の要部の縦断面図は図３に示したとおりである。同図に示すように、サブパネル１００とメインパネル２００とは、カバー部４２内部において背中合わせに対向した状態に設けられている。
【００７４】
上記のように、液晶表示装置２では、解像度の低いサブパネル１００側にソースドライバ１１５を設け、２個の表示パネル（サブパネル１００およびメインパネル２００）を１個の駆動回路（ソースドライバ１１５）によって駆動し、時分割駆動部１１９によって、メインパネル２００を時分割駆動し、かつ２個の表示パネル（サブパネル１００およびメインパネル２００）を切り離せるようにしている。
【００７５】
上記の携帯電話機４０において、電話による通話時、電子メールの送信操作時および受信メールについての内容確認時等の使用時にはカバー部４２を開いた状態とする。この場合には、サブパネル１００の表示動作がオフとなり、メインパネル２００の表示動作がオンとなる。一方、カバー部４２を閉じた待ち受け状態あるいは非使用状態においては、サブパネル１００の表示動作がオンとなり、メインパネル２００の表示動作がオフとなる。携帯電話機４０においては、通常、例えば一日の内でカバー部４２を開いている状態よりもカバー部４２を閉じている状態の方が多いので、サブパネル１００はメインパネル２００よりも表示頻度が高くなる。
【００７６】
上記の液晶表示装置２において、カバー部４２を閉じた状態ではサブパネル１００のみの表示動作がオン状態となり、メインパネル２００は表示動作がオフ状態となる。この場合、ソースドライバ１１５からのスイッチング制御信号によって時分割駆動部１１９の全てのスイッチングＴＦＴ１７がオフとなって、ソースドライバ１１５からの表示データ信号はメインパネル２００のソースバスライン２８へは供給されない。また、ゲートドライバ１１３は動作を行う一方、ゲートドライバ１２３は動作を停止する。
【００７７】
一方、カバー部４２を開いた状態ではメインパネル２００のみの表示動作がオン状態となり、サブパネル１００は表示動作がオフ状態となる。この場合、ソースドライバ１１５からのスイッチング制御信号に従って動作する時分割駆動部１１９のスイッチングＴＦＴ１７により、ソースドライバ１１５からの表示データ信号はメインパネル２００のソースバスライン２８へ供給される。また、ゲートドライバ１１３は動作を停止する一方、ゲートドライバ１２３は動作を行う。
【００７８】
次に、上記のサブパネル１００およびメインパネル２００の表示動作についてさらに詳細に説明する。
【００７９】
サブパネル１００を表示させる場合、図８に示すように、ソースバスライン１６にはソースドライバ１５から表示データ信号が印加され、ゲートバスライン１４にはゲートドライバ１１３からＴＦＴ２５をオン／オフするためのゲート信号が印加される。ここで、ゲートバスライン１４の電圧がＨｉｇｈになると、そのゲートバスライン１４に接続されているＴＦＴ２５がオンとなり、ソースバスライン１６に印加されている表示データ信号が画素（液晶キャパシタ２６）に書き込まれる。
【００８０】
サブパネル１００の表示駆動においては、ソースバスライン１６−１〜１６−Ｌに表示データ信号を印加し、ゲートバスライン１４−１〜１４−Ｍを線順次駆動することにより、１画面の表示（書き込み）を繰り返し行う。
【００８１】
このとき、メインパネル２００は表示を行わないので、ソースドライバ１１５から第１、第２、第３のスイッチング制御信号線１８ａ，１８ｂ，１８ｃにＬｏｗ電圧を印加して、時分割駆動部１１９の全てのスイッチングＴＦＴ１７をオフとし、メインパネル２００のソースバスライン２８−１〜２８−３Ｌを電気的に切り離す。また、このとき、メインパネル２００のゲートバスライン２４−１〜２４−Ｎの駆動も行わない。
【００８２】
上記の動作では、解像度の低いサブパネル１００を表示させる場合に、解像度の高いメインパネル２００の負荷を電気的に切り離す。したがって、液晶表示装置２では、消費電力の低減を実現できる。
【００８３】
一方、メインパネル２００を表示させる場合、図９に示すように、ソースバスライン１６にはソースドライバ１１５から表示データ信号が印加され、ゲートバスライン２４にはゲートドライバ１２３からＴＦＴ２５をオン／オフするためのゲート信号が印加される。このとき、ゲートバスライン２４の電圧がＨｉｇｈになると、そのゲートバスライン２４に接続されているＴＦＴ２５がオンとなり、ソースバスライン１６に印加されている表示データ信号が画素（液晶キャパシタ２６）に書き込まれる。
【００８４】
ここで、液晶表示装置２では、ソースドライバ１１５からの表示データ信号を解像度の低いサブパネル１００のソースバスライン１６を介して解像度の高いメインパネル２００のソースバスライン２８に伝えるため、解像度の高いメインパネル２００を時分割駆動させている。
【００８５】
メインパネル２００の表示駆動においては、ソースバスライン１６−１〜１６−Ｌに表示データ信号を印加し、ゲートバスライン２４−１〜２４−Ｎを線順次駆動することにより、１画面の表示（書き込み）を繰り返し行う。
【００８６】
このとき、第１液晶パネル１０は表示を行わないものの、メインパネル２００に表示データ信号を印加するため、時分割駆動部１１９のスイッチングＴＦＴ１７のオン／オフを
制御する。具体的には、第１、第２、第３のスイッチング制御信号線１８ａ，１８ｂ，１８ｃからのスイッチング制御信号によって、それらに接続されたスイッチングＴＦＴ１７のオン／オフを制御し、１組をなす３本のソースバスライン２８、例えばソースバスライン２８−１，２８−２，２８−３に対して時分割で表示データ信号を与える。ただし、ゲートバスライン１４−１〜１４−Ｍの駆動は行わない。
【００８７】
上記の動作では、解像度の高いメインパネル２００を表示する場合には、解像度の低いサブパネル１００の負荷を電気的に切り離すことができず、余分な電力を必要とする。しかしながら、解像度の高いメインパネル２００と解像度の低いサブパネル１００とを備えたツインパネル構成では、折畳式の携帯電話機４０等において、通常、解像度の低いサブパネル１００は相対的に表示頻度が高い用途に使用され、解像度の高いメインパネル２００は表示頻度が低い用途に使用される。したがって、液晶表示装置２では、その使用状態において、メインパネル２００が表示を行う上記の状態を生じる頻度が低くなり、液晶表示装置２全体としては消費電力の低減を実現できる。
【００８８】
なお、上記の電気的負荷は、主にゲートバスライン１４とクロスする箇所での絶縁部の容量、およびＴＦＴ２５部分での寄生容量などに起因するものである。
【００８９】
以上の実施の形態において、容量性の負荷と接続されるスイッチングＴＦＴ１７としては、図１０に示すような構成としてもよい。同図に示すスイッチングＴＦＴ１７は、ＮチャンネルのＭＯＳＦＥＴ３０１とＰチャンネルＭＯＳＦＥＴ３０２とインバータ３０３とからなる。このようなＣＭＯＳの構成では、片チャンネルの構成よりも、正確なスイッチング動作が可能である点は勿論、能力の点でも電圧レベルの制御を安定に行い得るという点でも好ましい。なお、スイッチング動作としては、片チャンネルのスイッチング素子からなる構成でも問題はない。
【００９０】
なお、液晶表示装置２において、サブパネル１００とメインパネル２００との解像度の組み合わせは、メインパネル２００の時分割駆動を何分割の駆動にするかによって自由に決定することができる。本実施の形態においては、メインパネル２００について３分割の時分割駆動を行っているので、メインパネル２００はサブパネル１００の解像度の３倍までの解像度にて表示が可能である。
【００９１】
また、液晶表示装置２では、時分割駆動部１１９のスイッチングＴＦＴ１７が時分割駆動用のスイッチ、およびサブパネル１００とメインパネル２００との切り離し用のスイッチを兼用しているので、それぞれ専用のスイッチを設ける場合と比較して、部品点数が少なく構成が簡単、かつ低コストとなっている。
【００９２】
また、携帯電話機４０において、ソースドライバ１５が設けられている側の第１液晶パネル１０（サブパネル１００）、言い換えるとカバー部４２の外面に設けられている第１液晶パネル１０（サブパネル１００）は、カバー部４２を開いたときに表示動作がオフとなる構成に限らず、カバー部４２の開閉にかかわらず表示動作が常時オンである構成としてもよい。
【００９３】
以上の実施の形態では、スイッチングＴＦＴ１７は、ソースドライバ１５またはソースドライバ１１５からの信号により駆動するものとしているが、他の駆動回路によって駆動する構成としてもよい。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９５】
本発明の表示装置は、複数の表示部を有し、専らＡＣ電源を使用する据え置き型、固定型の装置にも利用可能であるのものの、携帯電話機やＰＤＡ（Personal Digital Assistants）等、複数の表示部を有し、電池駆動を行うために低消費電力化が要求される携帯装
置に特に好適である。
【図面の簡単な説明】
【００９６】
【図１】本発明の実施の一形態における表示装置の構成を示す回路図である。
【図２】図２（ａ）は、図１に示した表示装置を備えている携帯電話機のカバー部を閉じた折畳状態を示す斜視図、図２（ｂ）は同携帯電話機のカバー部を開いた状態を示す斜視図である。
【図３】図２に示した携帯電話機におけるカバー部の要部を示す縦断面図である。
【図４】図１に示した表示装置における第１液晶パネルを表示させる場合の動作を示すタイミングチャートである。
【図５】図１に示した表示装置における第２液晶パネルを表示させる場合の動作を示すタイミングチャートである。
【図６】本発明の実施の他の形態における表示装置の概略構成を示す正面図である。
【図７】図６に示した表示装置の構成を示す回路図である。
【図８】図７に示した表示装置におけるサブパネルを表示させる場合の動作を示すタイミングチャートである。
【図９】図７に示した表示装置におけるメインパネルを表示させる場合の動作を示すタイミングチャートである。
【図１０】図７に示したスイッチングＴＦＴの他の例を示す回路図である。
【図１１】従来のツインパネル構成の表示装置を示す回路図である。
【符号の説明】
【００９７】
1,2    液晶表示装置（表示装置）
１０    第１液晶パネル（第１の表示手段）
11,21    ＴＦＴ基板
１４    ゲートバスライン（ゲート信号線）
１５    ソースドライバ（ソース信号線駆動回路）
１６    ソースバスライン（ソース信号線）
１７    スイッチングＴＦＴ（第２のスイッチング手段）
１８    スイッチング制御信号線
１８ａ  第１のスイッチング制御信号線
１８ｂ  第２のスイッチング制御信号線
１８ｃ  第３のスイッチング制御信号線
２０    第２液晶パネル（第２の表示手段）
２５    ＴＦＴ（第１のスイッチング手段）
２６    液晶キャパシタ
２７    対向電極
２８    ソースバスライン（ソース信号線）
３０    ＦＰＣ
４０    携帯電話機
４１    本体部（第１の筐体部）
４２    カバー部（第２の筐体部）
１００    サブパネル（第１の表示手段）
１１５    ソースドライバ（ソース信号線駆動回路）
１１９    時分割駆動部（時分割駆動手段）
２００    メインパネル（第２の表示手段）
【図１】
2005234056.tif 000003
【図２】
2005234056.tif 000004
【図３】
2005234056.tif 000005
【図４】
2005234056.tif 000006
【図５】
2005234056.tif 000007
【図６】
2005234056.tif 000008
【図７】
2005234056.tif 000009
【図８】
2005234056.tif 000010
【図９】
2005234056.tif 000011
【図１０】
2005234056.tif 000012
【図１１】
2005234056.tif 000013